(57)【要約】  【課題】強風などの際は、蔓性植物を這わせたネットを強風が当たりにくいように低く下げられる構成を実現することにより、性植物や建物が損傷するのを防止する。【解決手段】ゴーヤなどの蔓性植物を栽培する際に、前記蔓性植物を支持する棚の支柱が自立した状態や壁などに立て掛けた状態で、ネットの網目に挿通してあり、このネットに蔓性植物を這わすと共に、強風時には前記ネットを下方に移動させることで蔓性植物も下方に下がるので、強風の風当たりを少なくして、蔓性植物や支持している建物の傷みを効果的に軽減できる。前記の蔓性植物を這わせたネットの上端を支持している水平バーを紐などの線材で吊っておき、台風が接近した際に、前記の線材による吊り上げ力を解除すると、蔓性植物を一斉に下方に下げることができ、下げる作業が容易になる。【選択図】図１
2014087315.tif 000002
【特許請求の範囲】
【請求項１】
ゴーヤなどの蔓性植物を支持する棚であって、前記蔓性植物を支持する棚の支柱が自立した状態又は建物の壁などに立て掛けた状態で、ネットの網目に挿通してある。このネットに蔓性植物が這った状態で、前記ネットを下方に移動し、下方でまとめられる構造にしてあるので、強風が吹く恐れがある場合は、蔓性植物をネットと共に予め下方に下げておくことができる。
【請求項２】
前記の蔓性植物を這わせたネットの上端又は上端を支持する水平バーを紐などの線材で吊っておき、蔓性植物を下方に下げる際は、前記の線材による吊り上げ力を解除可能な構造としてあることを特徴とする請求項１に記載の蔓性植物の支持棚であり、下方に下げる作業が容易になる。
【請求項３】
多角形の交点に前記支柱を立て、上から見た場合に、少なくとも前記各支柱の上端同士を環状に連結してあることを特徴とする請求項１又は請求項２に記載の蔓性植物の支持棚であり、支柱が自立した状態でも蔓性植物を栽培できる。
【請求項４】
栽培方法の発明であって、ゴーヤなどの蔓性植物を栽培する際に、前記蔓性植物を支持する棚の支柱が自立した状態又は他に立て掛けた状態で、ネットの網目に挿通してあり、このネットに蔓性植物を這わすと共に、少なくとも強風時には、前記ネットを下方に移動させる。
【発明の詳細な説明】
【技術分野】
【０００１】
この発明は、ゴーヤやヘチマなどの蔓性植物を支持するネット製の棚に関する。
【背景技術】
【０００２】
原子力発電の安全性が問題となってから、各分野で節電が要望されるようになり、いろいろと工夫がなされている。
暑い夏場の節電対策として、家庭では、「緑のカーテン」と称して、窓際にコーヤなどの蔓性植物を這わして直射日光を遮ることが普及しており、エアコンを出来るだけ使用しないで節電を図っている。
この「緑のカーテン」に利用できる技術として、特許文献１のように、建物の窓を外側から覆うように設置される伸縮式蔓性植物支持装置であって、支柱枠体と、該支柱枠体の表面を覆うように取り付けられるネット状物とを具える技術が提案されている。
前記支柱枠体は、所要間隔を置いて左右両側に立設される伸縮支柱相互を水平方向の支柱連結杆で連結し、前記の伸縮支柱は、大径支柱パイプ内に小径支柱パイプをスライド可能に挿入してなり、小径支柱パイプの所要のスライドによって設定された支柱長さを固定装置で固定する構造になっている。
【先行技術文献】
【特許文献】
【０００３】
【特許文献１】実用新案登録第3149857 号
【発明の概要】
【発明が解決しようとする課題】
【０００４】
しかしながら、特許文献１の技術は、大径支柱パイプ中に小径支柱パイプを挿入した状態でスライドすることによって長さを調節し、調節した状態に固定し、窓際に立て掛ける棚を、窓の高さに合わせて容易に調節可能とした構造であって、台風などの際でも、支柱を伸ばしたままとなるので、折角育てた蔓性植物が強風で台無しになる恐れがあり、また落ち葉などの後始末も負担である。また、蔓性植物が強風を受けて支柱が揺れ動くと、建物を擦って傷つける恐れも有る。
本発明の技術的課題は、このような問題に着目し、強風などの際は、蔓性植物を這わせたネットを強風が当たりにくいように低く下げられる構成を実現することにより、性植物や建物が損傷するのを防止することにある。
【課題を解決するための手段】
【０００５】
請求項１は、ゴーヤなどの蔓性植物を支持する棚てあって、前記蔓性植物を支持する棚の支柱が自立した状態又は建物の壁などに立て掛けた状態で、ネットの網目に挿通してある。このネットに蔓性植物が這った状態で、前記ネットを下方に移動し、下方でまとめられる構造にしてあるので、強風が吹く恐れがある場合は、蔓性植物をネットと共に予め下方に下げておくことができる。
【０００６】
請求項２は、前記の蔓性植物を這わせたネットの上端又は上端を支持する水平バーを紐などの線材で吊っておき、蔓性植物を下方に下げる際は、前記の線材による吊り上げ力を解除可能な構造としてあることを特徴とする請求項１に記載の蔓性植物の支持棚であり、下方に下げる作業が容易になる。
【０００７】
請求項３は、多角形の交点に前記支柱を立て、上から見た場合に、少なくとも前記各支柱の上端同士を環状に連結してあることを特徴とする請求項１又は請求項２に記載の蔓性植物の支持棚であり、支柱が自立した状態でも蔓性植物を栽培できる。
【０００８】
請求項４は、栽培方法の発明であって、ゴーヤなどの蔓性植物を栽培する際に、前記蔓性植物を支持する棚の支柱が自立した状態又は他に立て掛けた状態で、ネットの網目に挿通してあり、このネットに蔓性植物を這わすと共に、少なくとも強風時には、前記ネットを下方に移動させる。ネットを下方に下げる結果、当然に蔓性植物も下方に下がる。
【発明の効果】
【０００９】
請求項１のように、ネットに蔓性植物が這った状態で、前記ネットを下方に移動し、下方でまとめられる構造にしてあるので、強風が吹く恐れがある場合は、蔓性植物をネットと共に予め下方に下げておくことができる。なお、下方にまとめた蔓性植物に防風ネットを被せておくと、強風で葉が傷んだりするのを効果的に防止できる。
このように、蔓性植物を下方に下げると、風当たりが弱くなるので、蔓性植物自体も、支柱を建物で支持している場合は建物も損傷することは少ない。
【００１０】
請求項２のように、前記の蔓性植物を這わせたネットの上端や上端を支持している水平バーを紐などの線材で吊っておき、台風が接近したりして蔓性植物を下方に下げる際は、前記の線材による吊り上げ力を解除すると、蔓性植物を一斉に下方に下げることができ、下げる作業が容易になる。
【００１１】
請求項３のように、多角形の交点に前記支柱を立て、上から見た場合に、少なくとも前記各支柱の上端同士を環状に連結してあると、支柱を自立させた状態でも蔓性植物を栽培でき、露地栽培にも本発明を適用できる。なお、多角形の１辺を建物等に取付けると、より安定する。
【００１２】
請求項４のように、ゴーヤなどの蔓性植物を栽培する際に、前記蔓性植物を支持する棚の支柱が自立した状態や壁などに立て掛けた状態で、ネットの網目に挿通してあり、このネットに蔓性植物を這わすと共に、強風時には前記ネットを下方に移動させることで蔓性植物も下方に下がるので、強風の風当たりを少なくして、蔓性植物や支持している建物の傷みを効果的に軽減できる。
【図面の簡単な説明】
【００１３】
【図１】（１）は、本発明の支持棚の正面図、（２）は、Ａ−Ａ方向の図である。
【図２】ネットの網目に支柱や水平バーを交互に挿通した状態を示す斜視図である。
【図３】強風時に水平バーと共にネットを全部下げた状態を示す自立型の正面図である。
【図４】上から見た場合に四角の枠状となるように形成した自立型棚の斜視図である。
【図５】本発明の支持棚が建物の壁部に支持された状態の斜視図である。
【図６】本発明の支持棚が建物の突起を避けた状態を示す側面図である。
【発明を実施するための形態】
【００１４】
次に本発明による蔓性植物の支持棚が実際上どのように具体化されるか実施形態を詳述する。図１（１）は、本発明の支持棚が自立した状態の正面図で、本発明の基本構成を示している。１・２は、左右対となった支柱であり、上端が水平バー３で連結されている。
４１・４２・４３…は水平バーであり、（２）図のように、両端のリングＲ１、Ｒ２に支柱１、２を挿通した状態で、前記リングＲ１、Ｒ２が前記支柱１、２に沿って楽に上下動できる構造になっている。
【００１５】
ネットｎは、網目の１辺が９〜20ｃｍ程度の網であり、植物性や合成樹脂性など種々あるが、上下動できる程度の可撓性が必要である。このネットｎの網目に、図２のように交互に前記支柱１、２を上下方向に挿通し、また前記水平バー４１〜４３を水平方向に挿通してある。そして、このネットｎに、ゴーヤーなどの蔓性植物が這うように栽培する。従って、ネットｎや支柱１、２、水平バー４１〜４３が支持棚の役目をする。
台風等の強風が吹く恐れがある場合は、図３のように、前記水平バー４１〜４３と共にネットｎを下方に移動させると、ゴーヤーなどの蔓性植物も下方に下降して集積されるので、風当たりが弱まり、被害が少なくなる。
【００１６】
図示例では、上端の可動水平バー４１が固定水平バー３とは別体になっているが、ネットｎに挿通した可動水平バー４１が、固定水平バー３に吊られている。すなわち、平時は図１のように、前記可動水平バー４１に先端を取付けた紐やロープｒ１、ｒ２を、前記固定水平バー３に取付けたフックｆ１、ｆ２に引っ掛けた状態で、中央のフックｆ３で一つに纏めた状態で、下方に引っ張って、下部固定水平バー５に縛り付けたり、上端固定水平バー３に巻き付けて固定する。
風当たりを弱くしたい場合は、図３のように、前記紐ｒ１、ｒ２を緩めて、吊り上げ力を解除すると、蔓性植物やネットｎ、水平バー４１〜４３の自重で下降し下部に集積する。その結果、蔓性植物への風当たりが弱まり、被害も少なくなる。
【００１７】
強風が止み平常に戻ると、紐ｒ１・ｒ２の両端が上昇するように、紐ｒ１・ｒ２の中間側を引っ張ると、上端の水平バー４１が引き上げられるので、蔓性植物を支持しているネットｎ全体が図１のように上昇し拡げられる。
なお、水平バー４１に代えて、ネットｎの上端を直接に吊り上げることも不可能ではないが、図示のような２か所では少ないので、３か所以上を吊り上げるのがよい。
また、水平バー４１〜４３無しとし、ネットｎのみの構造も可能ではあるが、動作の円滑を欠き、かつ補強も不可能となる。従って、水平バー４１〜４３を所定の間隔でネットｎに通し、しかも水平バー４１〜４３同士を紐ｒ３・ｒ４で連結すると、重みがネットｎの上端に集中するのを防いだり、両端のリングＲ１、Ｒ２の動きが円滑になる。
【００１８】
図３の実施例は、棚を自立させるために、両端の支柱１、２を地中に差し込んだり、支柱１、２の根元をコンクリートで固定する構成を採っている。下がコンクリート面ｃの場合は、図１のように、下部固定水平バー５を金具ｍでコンクリート面ｃに固定し、上端固定水平バー３を金具ｍで建物の一部に固定することもできる。
【００１９】
これに対し、図４の構成は、上から見た場合に四角形状となるように、前記各支柱１、２、１１、１２の少なくとも上端同士を固定水平バー３１〜３４で連結してある。
この場合、各支柱１、２、１１、１２の下端は、図３のように地中に差し込んだり、コンクリートに埋め込んだりできるが、図示実施例では、上端と同様に各支柱１、２、１１、１２の下端を四角形に連結する固定水平バー５１〜５４で連結してある。そして、螺旋フック６１〜６４を地中にねじ込んで、前記下端の固定水平バー５１〜５４を固定してある。
【００２０】
上下方向に可動する水平バーは、上端の可動水平バー４１…の他に、中間の可動水平バー４２、４３…を有しているが、ネットｎの網目に交互に水平方向に挿通し、また前記支柱１、２、１１、１２は、ネットｎの網目に交互に鉛直方向に挿通してあることは言うまでもない。
強風時に４辺のネットｎを一斉に上下動できるように、図示例では対角線方向に鉄筋やパイプ７１、７２を設けて、支柱１、２、１１、１２を挿通する上端リングＲ１…Ｒ４と溶接や接着で接続し、リングＲ１…Ｒ４の位置が互いに変動しないで一定するようにしてある。そして、前記対角線支持バー７１と７２の交点に、線材８の先端を結び、滑車代用の太円筒Ｗを経て、固定水平バー３１等に結んで固定してある。
【００２１】
台風などが来襲する恐れがある場合は、固定水平バー３１等への固定を解き、太円筒Ｗを介して、対角線バー７１、７２を解放しフリーにすると、前記リングＲ１…Ｒ４と接続された可動水平バー４１、４２…やネットｎ…が一斉に自重で下降する。
強風が止んで、蔓性植物が傷む恐れが無くなると、線材８を引けば、太円筒Ｗを介して、対角線バー７１、７２が引き上げられるので、各リングＲ１…Ｒ４と共に可動水平バー４１、４２…やネットｎ…が一斉に上昇し、線材８を固定水平バー３１などに固定することで、平時に戻る。市販のＳ字状フックを用い、下部のフックを対角線バー７１、７２の交点に引っ掛け、上部のフックを太円筒Ｗに引っ掛けることもできる。
なお、太円筒Ｗに挿通する部材は円形や四角のパイプでも断面Ｌ状のアングルでもよい。この部材を支持する上端固定水平バー３２・３４が重みで反る恐れがある場合は、支えの支柱を立ててもよいし、支柱１、１１の上端や支柱２、１２の上端に部材を載せてもよい。
【００２２】
４辺のネットｎを上げ下げするには、図１、図３のような構成を対向して２組用いることも可能である。すなわち、図１のように、上端の可動水平バー４１の両側に結んだ線材の中間を１本の線材にまとめ、この線材を操作して、前記可動水平バー４１、４２…を上下させる。この際、線材が逆方向に２組み発生するので、二人で線材を操作する必要が有るが、図４の構造だと一人で操作できる。
なお、隣接する二つの可動水平バー４１、４１…の両端のリングＲ１…Ｒ４を共用する例を図示してあるが、図１、図３のように専用にすることもできる。この場合は、隣接する二つの辺のリングＲを重ねることになるが、リングＲが下側の可動水平バー４１、４１に紐やロープｒ１、ｒ２を連結したり、対角線バー７１、７２を連結することになる。
【００２３】
以上は、ネットｎを支持する支柱１〜１２を自立させる例であるのに対して、図５の実施形態は、支柱が建物などに寄り掛かるように支持される構固定してあり、下端１ｄ、２ｄは、軒下などのコンクリート土間ｃに金具ｍで取付けてある。
そして、図２のように、ネットｎの網目に、交互に前記支柱１、２を上下方向に挿通し、また前記水平バー４１、４２…を水平方向に挿通し、このネットｎに、ゴーヤーなどの蔓性植物が這うように栽培して「緑のカーテン」とする。
いま、平時だと、図３の自立型の場合と同様に、上端の可動水平バー４１の両側に結んだ線材ｒ１、ｒ２を一つに纏めて１本の紐ｒにした状態で、フックｆ３を経由して真下に引っ張り、固定しておく。
強風に備えてネットｎを一斉に下げる場合は、前記紐ｒを緩めて、吊り上げ力を解除すると、蔓性植物やネットｎ、水平バー４１、４２…の自重で下降し下部に集積する。その結果、蔓性植物への風当たりが弱まり、蔓性植物の葉や実が損傷したり、支えている建物が支柱１、２と擦れて損傷したりするのを未然に防止できる。
なお、棚の上部が図５のように傾斜している場合は、傾斜の下の方向に引っ張る必要が生じる場合もありうる。
【００２４】
図６は、建物の庇９などの障害物を避けるように退避可能に、支柱１、２を曲げてある。曲げる部分Ｂには、曲げる方向や角度などに応じて、予め曲げた大径パイプを利用し、他は、真っ直ぐなパイプを差し込む仕組みが好適である。
図４のように、３方向に連結する部分も、曲げ部分Ｂと同様に予め３方向に大径パイプを連結したアタッチメントＡを利用すれば、後は、真っ直ぐな小径パイプを差し込むだけで組立てできる。
ネットｎの上下動は、図５と同じ要領で行なうが、紐ｒで擦る角の部分には、丸パイプを90度切除したカットパイプ10などを取付けて、滑り易くしてある。
なお、蔓性植物を植えるには、露地に限らず、プランターや植木鉢などを利用して植えることも可能であり、コンクリート製の土間やベランダ等で「緑のカーテン」とする場合に便利である。
【産業上の利用可能性】
【００２５】
以上のように、本発明によると、ネットに蔓性植物が這った状態で、前記ネットを下方に移動し、下方にまとめられる構造にしてあるので、強風が吹く恐れがある場合は、蔓性植物をネットと共に予め下方に下げて、風当たりを弱くできる。その結果、棚の支柱を支えている建物の損傷や蔓性植物自体の葉や実の損傷を防げる。
【符号の説明】
【００２６】
１、２、１１、１２  支柱
３・３１・３２…  上部固定水平バー
４１・４２・４３…  可動水平バー
５・５１・５２…  下部固定水平バー
Ｒ１、Ｒ２  リング
ｎ  ネット
ｒ、ｒ１、ｒ２  紐やロープなどの線材
ｆ１、ｆ２、ｆ３  フック
６１〜６４  螺旋フック
７１、７２  対角線バー
８  紐やロープなどの線材
９  建物の庇
Ｗ  滑車代用の太円筒
ｍ  取付け金具
Ｂ  曲げ部分
Ａ  ３方向アタッチメント
【図１】
2014087315.tif 000003
【図２】
2014087315.tif 000004
【図３】
2014087315.tif 000005
【図４】
2014087315.tif 000006
【図５】
2014087315.tif 000007
【図６】
2014087315.tif 000008